(57)【特許請求の範囲】
【請求項１】
被吊り下げ物に支持された状態で水平方向に沿って延在し、延在方向に間隔をあけて下方に凹む凹部が設けられた本体部と、
前記凹部における前記延在方向の一方側に配置されて、前記延在方向の一方側に向かって突出する第一凸部を有して、該第一凸部を支点として前記本体部に対して前記延在方向に延びる軸線を中心に回動可能な第一支持部と、
前記第一支持部から前記延在方向に交差する突出方向に延びる第一腕部と、
前記凹部における前記延在方向の他方側で前記第一支持部に隣接して配置されて、前記延在方向の他方側に向かって突出する第二凸部を有して、該第二凸部を支点として前記本体部及び前記第一支持部に対して前記軸線を中心に回動可能な第二支持部と、
前記第二支持部から前記延在方向に交差する突出方向に延びる第二腕部と、
を備え、
前記本体部は、前記凹部から前記延在方向に向かって凹むように設けられて前記第一凸部及び前記第二凸部に係合する係合部を有し、
前記第一支持部及び前記第二支持部のうちのいずれか一方は、いずれか他方に向かって前記延在方向に突出する支持部間凸部を有し、前記他方は前記支持部間凸部が挿入されるように前記延在方向に延びる支持部間穴部を有し、前記支持部間凸部は、前記第一腕部と第二腕部とが近接した折り畳み状態で前記延在方向から前記支持部間穴部に挿入可能であり、かつ、前記支持部間穴部に挿入されて前記第一腕部と前記第二腕部とが反対方向に延びる使用状態で、前記支持部間穴部からの脱落及び前記延在方向への離間を規制する離間規制部を有するバーハンガー。
【請求項２】
前記第一凸部及び前記第二凸部は、前記使用状態で、前記凹部の底面に向かうに従って前記延在方向の厚さ寸法が小さくなっている面取り部を有し、
前記係合部は、前記第一凸部及び前記第二凸部が挿入される穴部である請求項１に記載のバーハンガー。
【請求項３】
前記第一支持部及び前記第二支持部は前記延在方向に複数並んで設けられ、複数の前記第一支持部同士を接続する第一接続部と、複数の前記第二支持部同士を接続する第二接続部とをさらに備える請求項１又は２に記載のバーハンガー。
【発明の詳細な説明】
【技術分野】
【０００１】
本発明は、物品を掛けるバーハンガーに関する。
【背景技術】
【０００２】
従来から、例えば特許文献１に開示されているように、物干し用のハンガーとして洗濯物を掛けるための棒状の腕部を複数有するハンガー（バーハンガー）が知られている。このようなバーハンガーでは、ピンチを用いず、腕部に洗濯物を掛けて保持することができるため非常に使い勝手がよい。
【先行技術文献】
【特許文献】
【０００３】
【特許文献１】実用新案登録第３１９２５８２号公報
【発明の概要】
【発明が解決しようとする課題】
【０００４】
しかしながら、特許文献１に開示された従来のバーハンガーでは、腕部に重量の大きな物を掛けると、腕部の基端部に大きな荷重とモーメントが作用する。この結果、腕部を支持する本体部（枠）に撓み変形等が生じて、洗濯物等を腕部に安定して保持することが難しくなってしまう。即ち、腕部が片持ち式のバーハンガーでは、十分な耐荷重性を得ることができない。
【０００５】
そこで本発明では、変形を抑制し、腕部に掛けられた物を安定して保持することのできるバーハンガーを提供する。
【課題を解決するための手段】
【０００６】
即ち、本発明の第一の態様に係るバーハンガーは、被吊り下げ物に支持された状態で水平方向に沿って延在し、延在方向に間隔をあけて下方に凹む凹部が設けられた本体部と、前記凹部における前記延在方向の一方側に配置されて、前記延在方向の一方側に向かって突出する第一凸部を有して、該第一凸部を支点として前記本体部に対して前記延在方向に延びる軸線を中心に回動可能な第一支持部と、前記第一支持部から前記延在方向に交差する突出方向に延びる第一腕部と、前記凹部における前記延在方向の他方側で前記第一支持部に隣接して配置されて、前記延在方向の他方側に向かって突出する第二凸部を有して、該第二凸部を支点として前記本体部及び前記第一支持部に対して前記軸線を中心に回動可能な第二支持部と、前記第二支持部から前記延在方向に交差する突出方向に延びる第二腕部と、を備え、前記本体部は、前記凹部から前記延在方向に向かって凹むように設けられて前記第一凸部及び前記第二凸部に係合する係合部を有し、前記第一支持部及び前記第二支持部のうちのいずれか一方は、いずれか他方に向かって前記延在方向に突出する支持部間凸部を有し、前記他方は前記支持部間凸部が挿入されるように前記延在方向に延びる支持部間穴部を有し、前記支持部間凸部は、前記第一腕部と第二腕部とが近接した折り畳み状態で前記延在方向から前記支持部間穴部に挿入可能であり、かつ、前記支持部間穴部に挿入されて前記第一腕部と前記第二腕部とが反対方向に延びる使用状態で、前記支持部間穴部からの脱落及び前記延在方向への離間を規制する離間規制部を有している。
【０００７】
このようなバーハンガーによれば、本体部の凹部に、第一腕部が設けられた第一凸部を有する第一支持部と、第二腕部が設けられた第二凸部を有する第二支持部とが配置されている。そして第一凸部及び第二凸部に係合する係合部が本体部に設けられていることで、第一支持部及び第二支持部が凹部から脱落することなく本体部との間で回動し、第一腕部と第二腕部とが使用状態と折り畳み状態との間で動作可能となる。
さらに、折り畳み状態で第一支持部及び第二支持部の支持部間凸部を支持部間穴部に挿入することで、第一支持部と第二支持部とを互いに組み合せ、一体の部材にした後に、本体部の凹部に第一支持部及び第二支持部を配置することができる。さらに第一腕部及び第二腕部を使用状態にすると、即ち、第一腕部と第二腕部とを離間するように第一支持部と第二支持部とを回動させると、第一支持部と第二支持部とでは、離間規制部によって支持部間穴部からの支持部間凸部の脱落が規制される。従って、使用状態で第一腕部と第二腕部とに物を掛けた際の荷重によって、支持部間凸部が支持部間穴部から脱落して第一支持部と第二支持部とが突出方向に互いに離れるように相対移動してしまうことがなくなる。
さらに、使用状態では、第一腕部と第二腕部に物を掛けた際の荷重によって第一支持部と第二支持部とが本体部の延在方向に撓むように変形しようとした際にも、離間規制部によって第一支持部と第二支持部とが互いに延在方向に離間することを規制できる。従って、荷重による凹部からの第一支持部及び第二支持部の脱落を抑制でき、バーハンガーの剛性を高め、耐荷重性を向上できる。
【０００８】
また、本発明の第二の態様に係るバーハンガーでは、上記第一の態様に係る前記第一凸部及び前記第二凸部は、前記使用状態で、前記凹部の底面に向かうに従って前記延在方向の厚さ寸法が小さくなっている面取り部を有し、前記係合部は、前記第一凸部及び前記第二凸部が挿入される穴部であってもよい。
【０００９】
このような第一凸部と第二凸部を設けることで、第一支持部と第二支持部とを組み合わせて、これらを一体として凹部に向かって挿入する際、面取り部が凹部の内面に接触するようにして、第一凸部と第二凸部を本体部の係合部である穴部にスムーズに押し込むようにして係合させることができる。この結果、第一支持部と第二支持部とを本体部に容易に組み込むことができる。
【００１０】
また、本発明の第三の態様に係るバーハンガーでは、上記第一又は第二の態様に係る前記第一支持部及び前記第二支持部は前記延在方向に複数並んで設けられ、複数の前記第一支持部同士を接続する第一接続部と、複数の前記第二支持部同士を接続する第二接続部とをさらに備えていてもよい。
【００１１】
このような第一接続部と第二接続部とによって、第一支持部同士及び第二支持部同士を接続することでバーハンガー全体の剛性をさらに向上でき、バーハンガーの変形を抑制でき、さらに耐荷重性を向上できる。
【発明の効果】
【００１４】
上記のバーハンガーによると、第一腕部及び第二腕部に洗濯物等を掛けた際に第一腕部及び第二腕部の基端部に荷重やモーメントが作用しても、離間規制部によって変形を抑制することができ、腕部に掛けられた物を安定して保持することが可能となる。
【図面の簡単な説明】
【００１５】
【図１】本発明の実施形態に係るバーハンガー使用状態を示す全体斜視図である。
【図２】本発明の実施形態に係るバーハンガーの本体部と、第一支持部及び第二支持部の延在方向に沿う断面図であって、図１のＡ−Ａ断面を示す図である。
【図３】本発明の実施形態に係るバーハンガーの本体部を延在方向の他方側から見た図であって、図１のＢ−Ｂ断面を示す模式図である。
【図４】本発明の実施形態に係るバーハンガーの本体部を延在方向の他方側から見た図であって、図１のＣ−Ｃ断面を示す模式図である。
【図５】本発明の実施形態に係るバーハンガーの折り畳み状態を示す全体斜視図である。
【図６】本発明の実施形態に係るバーハンガーの第一支持部と第二支持部と本体部との組み立て手順を時系列に（ａ）、（ｂ）、（ｃ）、及び（ｄ）に示す図である。
【発明を実施するための形態】
【００１６】
以下、本発明の実施形態に係るバーハンガー１について図１から図６を参照して説明する。
バーハンガー１は、例えば物干し竿等の被吊り下げ物１００に吊り下げられ、洗濯物を引っ掛けて保持することで、洗濯物を乾燥させる物干しである。
ここで以下では、バーハンガー１が被吊り下げ物１００に吊り下げられた状態を基準として説明する。
【００１７】
図１に示すように、バーハンガー１は、棒状に延びる本体部２と、本体部２に支持された第一支持部３及び第二支持部４と、第一支持部３に設けられた第一腕部５と、第二支持部４に設けられた第二腕部６とを備えている。以下、本体部２の延びる方向を延在方向Ｄ１とする。
以下、図１に示すように第一腕部５と第二腕部６とが互いに反対方向に本体部２から突出している状態を使用状態とし、図５に示すように第一腕部５と第二腕部６とが近接して配置され、同じ方向に本体部２から突出している状態を折り畳み状態とする。
【００１８】
本体部２は、バーハンガー１が被吊り下げ物１００に吊り下げられた状態で、上下方向Ｄ２に交差するように水平方向に沿って延びる棒状をなす。本実施形態では、この本体部２は樹脂製であって、延在方向Ｄ１から見て上部が円弧状をなし、下部が矩形状をなしている。本体部２は中空となっており下方に向かって開口している。
【００１９】
さらに本体部２には、その下部で、延在方向Ｄ１に交差（本実施形態では直交）し、かつ、上下方向Ｄ２にする交差する方向である突出方向Ｄ３の両側に突出するように、移動規制部１１が設けられている。移動規制部１１は、外形が直方体形状をなしている。
【００２０】
また、本体部２には、延在方向Ｄ１に等間隔をあけて上面から下方に上下方向Ｄ２の中途位置まで凹む凹部１２が複数設けられている。
【００２１】
このように凹部１２が設けられていることで、図２に示すように本体部２には、凹部１２における延在方向Ｄ１の一方側Ｄ１ａ（図１の紙面手前側）と他方側Ｄ１ｂ（図１の紙面奥側）に位置する壁面１２ｂが設けられている。
【００２２】
そして図２及び図３に示すように、壁面１２ｂには、壁面１２ｂを延在方向Ｄ１に貫通して凹部１２内と本体部２の中空部分とを連通する貫通孔（係合部、穴部）１２ｃが設けられている。即ち、貫通孔１２ｃは、凹部１２から延在方向Ｄ１に向かって凹むように設けられている。また貫通孔１２ｃは、延在方向Ｄ１から見て上部が円弧状をなし、下部が矩形状をなしている。
【００２３】
さらに本体部２には、その延在方向Ｄ１の中央部に、凹部１２に干渉しない位置で上部に突出するように上部フック１３が設けられている。この上部フック１３は被吊り下げ物１００に本体部２を吊り下げ可能としている。また本体部２には、上部フック１３とは反対方向となる下方に突出するように下部フック１４が設けられている。この下部フック１４も、被吊り下げ物１００に本体部２を吊り下げ可能としている。
【００２４】
第一支持部３は、本実施形態では延在方向Ｄ１に並んで複数設けられて、一つずつ凹部１２に配置されている。
【００２５】
各々の第一支持部３は、凹部１２における延在方向Ｄ１の一方側Ｄ１ａで凹部１２内に配置された基部１７と、基部１７から凹部１２の外へ向かって、突出方向Ｄ３に本体部２から離れる方向に突出する基端押さえ部１８とを有している。
【００２６】
基部１７は中空の円柱状をなしており、基部１７の外形は凹部１２における上方を向く底面に沿った形状となっている。この基部１７には延在方向Ｄ１の一方側Ｄ１ａに向かって突出する第一凸部１９が設けられている。第一凸部１９は、上記使用状態で、延在方向Ｄ１からみて下方に開口するＣ字状をなしている（図３参照）。そしてこの第一凸部１９の外周面は、本体部２の貫通孔１２ｃの上部の円弧状の内面に沿った形状をなしており、第一凸部１９の外周面が貫通孔１２ｃの上部の円弧状の内面に係合することで、第一凸部１９が貫通孔１２ｃに係合している。
さらに、第一凸部は、上記使用状態で、延在方向Ｄ１からみて下方に開口する側の端部で、凹部１２における上方を向く底面に向かうに従って、延在方向Ｄ１の厚さ寸法が小さくなっている面取り部１９ａを有している。
【００２７】
また、基部１７は本体部２の凹部１２を形成する上記の壁面１２ｂに、延在方向Ｄ１の他方側Ｄ１ｂから対向する対向面２１を有している。
【００２８】
ここで本実施形態では、第一支持部３は凹部１２と同じ数量設けられており、延在方向Ｄ１の一方側Ｄ１ａから他方側Ｄ１ｂに向かって交互に二種の基部１７が設けられている。即ち、延在方向Ｄ１の一方側Ｄ１ａから他方側Ｄ１ｂに向かって基部１７Ａ、基部１７Ｂ、基部１７Ａ、基部１７Ｂ、基部１７Ａ、基部１７Ｂの順で基部１７が設けられている。
【００２９】
図２及び図４に示すように、第一支持部３における基部１７Ａには、延在方向Ｄ１の他方側Ｄ１ｂを向く面を貫通する基部貫通孔（支持部間穴部）２２が設けられている。基部貫通孔２２は、上部が円弧状をなし、下部が矩形状をなしている。
さらに基部貫通孔２２は、上記折り畳み状態で延在方向Ｄ１、及び突出方向Ｄ３に直交する方向のみに開口している。即ち、基部貫通孔２２は、上記使用状態では下方のみに開口する開口部２２ａを有している（図４参照）。
【００３０】
第一支持部３における基部１７Ｂには、延在方向Ｄ１の他方側Ｄ１ｂを向く面から、延在方向Ｄ１の他方側Ｄ１ｂに突出する基部凸部（支持部間凸部）２３が設けられている。基部凸部２３は、第一凸部１９と同様に、使用状態で延在方向Ｄ１から見て下方に開口するＣ字状をなしている（図４参照）。この基部凸部２３は、断面Ｃ字状をなす略筒状の筒部２４と、筒部２４の延在方向Ｄ１の端部で筒部２４の径方向外側に突出するように設けられたフランジ部（離間規制部）２５とを有している。
【００３１】
そしてこの基部凸部２３における筒部２４の外周面は、基部貫通孔２２の上部の円弧状の内面に沿った形状をなしており、筒部２４の外周面が貫通孔１２ｃの上部の円弧状の内面に対向することで、基部凸部２３が基部貫通孔２２に係合している。また、基部凸部２３のフランジ部２５は、上記使用状態で、上部のみが基部貫通孔２２に延在方向Ｄ１から引っ掛かるように設けられている（図４参照）。フランジ部２５の外周面は基部１７の内面に沿っている。これにより、上記折り畳み状態でフランジ部２５は、基部貫通孔２２に延在方向Ｄ１から挿入可能であるとともに、フランジ部２５は基部貫通孔２２に挿入されて上記使用状態で、基部貫通孔２２からの基部凸部２３の脱落を規制可能であり、かつ、基部貫通孔２２からの基部凸部２３の延在方向Ｄ１への離間を規制可能である。
即ち、このような動作が可能となるように、基部貫通孔２２の大きさ及び形状と、フランジ部２５の大きさ及び形状とが決定されている。よって、基部凸部２３及び基部貫通孔２２の形状は、本実施形態の場合に限定されない。
【００３２】
図１に示すように、基端押さえ部１８は、凹部１２の外部に配置され、突出方向Ｄ３に向かって延びている。より具体的には、基端押さえ部１８は、本体部２側に設けられて延在方向Ｄ１から見て矩形状をなす土台部３１と、土台部３１から上方に延びた後に、突出方向Ｄ３に本体部２から離れる方向に突出しているクリップ部３２とを有している。
【００３３】
図１及び図２に示すように、クリップ部３２では、上面３２ａが水平面に沿った平面形状をなしている。
【００３４】
ここで、複数の第一支持部３における土台部３１同士の間には、延在方向Ｄ１に棒状をなして延びてこれら土台部３１同士を接続して固定する第一接続部３３が設けられている。また第一接続部３３は、バーハンガー１の使用状態（図１参照）で、一方の移動規制部１１によって下方から支持されて下方への移動が規制される。また、第一接続部３３は延在方向Ｄ１に直交する断面形状が矩形状をなしている。
【００３５】
そして本実施形態では、複数の第一支持部３と第一接続部３３とは樹脂の一体成形品であるため、バーハンガー１の使用状態では、移動規制部１１によって複数の第一支持部３の下方への移動が規制されている。
【００３６】
第一腕部５は、各々の第一支持部３における土台部３１に一つずつ設けられ、突出方向Ｄ３に土台部３１から離なれる方向に延びる丸棒状をなしている。よって第一腕部５は、延在方向Ｄ１に等間隔に設けられている。また第一腕部５はクリップ部３２に沿って設けられている。これら第一腕部５は例えばアルミニウム等の金属製である。
【００３７】
さらに第一腕部５には、本体部２及び第一支持部３から離なれる側の先端で、先端押さえ部４１が設けられている。先端押さえ部４１は、第一腕部５に対して外周から嵌め込まれるキャップ部４２と、キャップ部４２における本体部２から離なれる側の端部から上方に延びた後に、突出方向Ｄ３に本体部２に近接する方向に延びるクリップ部４３とを有している。
【００３８】
このクリップ部４３は第一支持部３のクリップ部３２と略同一形状をなしている。即ち、クリップ部４３は、上面４３ａが水平面に沿った平面形状をなしている。クリップ部４３は第一腕部５に沿って設けられている。
【００３９】
第二支持部４は、第一支持部３と同一形状をなして、第一支持部３とは本体部２を挟んで突出方向Ｄ３の反対側に配置されている。本実施形態では、第二支持部４は、本体部２の延在方向Ｄ１の中央部を中心にして、上下方向Ｄ２に延びる仮想線を中心に、第一支持部３を１８０度回転させたものと同一である。
第二支持部４は、延在方向Ｄ１に並んで複数設けられて一つずつ凹部１２に配置されている。また、各々の第二支持部４は基部１７と基端押さえ部１８とを有している。
【００４０】
そして第二支持部４における基部１７は、凹部１２における延在方向Ｄ１の他方側Ｄ１ｂで第一支持部３における基部１７と隣接して凹部１２内に配置されている。また、第二支持部４の基部１７は本体部２の壁面１２ｂに延在方向Ｄ１の一方側Ｄ１ａから対向する対向面２１と、第一支持部３に延在方向Ｄ１の他方側Ｄ１ｂから対向する対向面２１Ａとを有している。
【００４１】
第二支持部４における基部１７には延在方向Ｄ１の他方側Ｄ１ｂに向かって突出する第一凸部１９と同一形状をなす第二凸部２０が設けられている。そして第二凸部２０の外周面が貫通孔１２ｃの上部の円弧状の内面に対向することで、第二凸部２０が貫通孔１２ｃに係合している。
【００４２】
ここで本実施形態では、第一支持部３と同数の第二支持部４が設けられており、第二支持部４では、延在方向Ｄ１の一方側Ｄ１ａから他方側Ｄ１ｂに向かって交互に二種の基部１７が設けられている。即ち、延在方向Ｄ１の一方側Ｄ１ａから他方側Ｄ１ｂに向かって基部１７Ｂ、基部１７Ａ、基部１７Ｂ、基部１７Ａ、基部１７Ｂ、基部１７Ａの順で基部１７が設けられている。
【００４３】
第二支持部４における基部１７Ｂには、延在方向Ｄ１の一方側Ｄ１ａを向く面（対向面２１Ａ）から、延在方向Ｄ１の一方側Ｄ１ａに突出する基部凸部（支持部間凸部）２３が設けられている。
第二支持部４における基部１７Ａには、延在方向Ｄ１の一方側Ｄ１ａを向く面（対向面２１Ａ）を延在方向Ｄ１に貫通する基部貫通孔（支持部間穴部）２２が設けられている。
【００４４】
基端押さえ部１８のクリップ部３２の下面３２ｂは、後述する第二腕部６との間の隙間が土台部３１側で大きく、土台部３１から離れる側で小さくなっている。
【００４５】
ここで、複数の第二支持部４における土台部３１同士に間には、延在方向Ｄ１に棒状をなして延びてこれら土台部３１同士を接続して固定する第一接続部３３と同形状をなす第二接続部５１が設けられている。第二接続部５１は、バーハンガー１の使用状態（図１参照）で、他方の移動規制部１１によって下方から支持されて下方への移動が規制される。
【００４６】
そして本実施形態では、複数の第二支持部４と第二接続部５１とは樹脂の一体成形品である。
【００４７】
第二腕部６は、第一腕部５と同一の部材であり、各々の第二支持部４における土台部３１に一つずつ設けられ、突出方向Ｄ３に土台部３１から離なれる方向に、第一腕部５とは反対方向に延びている。第二腕部６は延在方向Ｄ１に等間隔に設けられ、延在方向Ｄ１に第一腕部５と交互に第一腕部５と延在方向Ｄ１に等間隔を空けて設けられている。
【００４８】
さらに第二腕部６には、第一腕部５と同様に先端押さえ部４１が設けられている。
【００４９】
ここで本実施形態では、バーハンガー１は折り畳みが可能となっている。
具体的には、図１に示す使用状態から、第一支持部３及び第二支持部４は、延在方向Ｄ１に延びる仮想軸線回りに本体部２に対して第一凸部１９、第二凸部２０、及び基部凸部２３を支点として回動可能となっている。
【００５０】
折り畳みの際には、図１に示す使用状態から第一腕部５と第二腕部６とが近接するように、第一支持部３と第二支持部４とを上方に回動させる。第一支持部３と第二支持部４が回動する際、第一凸部１９及び第二凸部２０は貫通孔１２ｃに支持され、基部凸部２３が基部貫通孔２２に支持される。
【００５１】
この結果、図５に示す折り畳み状態となる。折り畳み状態では、下部フック１４が上部に位置するようにバーハンガー１を反転させて配置することで下部フック１４を被吊り下げ物１００に掛けることが可能となっている。
【００５２】
さらに、図６を参照して、第一支持部３と第二支持部４とを本体部２に組み込む手順について説明する。
図６（ａ）に示すように、まず、第一腕部５を第一支持部３に設けた状態で、かつ、第二腕部６を第二支持部４に設けた状態で、第一腕部５と第二腕部６とが近接して同じ方向の延びるように、第一支持部３と第二支持部４とを対向して配置する。
【００５３】
この状態から、延在方向Ｄ１に互いに隣接する基部貫通孔２２に基部凸部２３を挿入する。具体的には、第一支持部３及び第二支持部４の各部位が干渉しないように、第一支持部３及び第二支持部４を移動させ、第一支持部３の基部１７と第二支持部４の基部１７とを延在方向Ｄ１に隣接するように配置する。この状態から、第一支持部３の基部１７と第二支持部４の基部１７とを延在方向Ｄ１に沿って近接させ、基部凸部２３を基部貫通孔２２内に挿入する。このようにして図６（ｂ）に示すように、第一支持部３と第二支持部４とを組み合せる。
【００５４】
さらに図６（ｂ）の状態から、第一腕部５と第二腕部６とが互いに反対方向に延びるように第一支持部３と第二支持部４とを回動させ、図６（ｃ）の状態となる。
【００５５】
さらに図６（ｃ）の状態から、第一支持部３の基部１７と第二支持部４の基部１７とを本体部２の凹部１２に押し込むようにして配置し、第一支持部３、第二支持部４、及び、本体部２を組み立て、図６（ｄ）の状態となる。
【００５６】
以上説明した本実施形態のバーハンガー１によれば、本体部２の凹部１２に、第一腕部５が設けられた第一支持部３の基部１７と、第二腕部６が設けられた第二支持部４の基部１７とが凹部１２に配置されている。そして基部１７における第一凸部１９及び第二凸部２０に係合する貫通孔１２ｃが本体部２に設けられている。これにより、第一支持部３及び第二支持部４が凹部１２から脱落することなく、本体部２との間で回動し、第一腕部５と第二腕部６とが使用状態と折り畳み状態との間で動作可能となる。
【００５７】
さらに、折り畳み状態で第一支持部３及び第二支持部４の基部凸部２３を基部貫通孔２２に延在方向Ｄ１から挿入することで、第一支持部３と第二支持部４とを互いに組み合せ、一体の部材にした後に、本体部２の凹部１２に第一支持部３の基部１７及び第二支持部４の基部１７を配置することができる。
【００５８】
さらに第一腕部５及び第二腕部６を使用状態にすると、即ち、第一腕部５と第二腕部６とを離間するように、第一支持部３と第二支持部４とを回動させると、フランジ部２５によって基部凸部２３の基部貫通孔２２からの脱落が規制される。従って、上記使用状態で第一腕部５と第二腕部６とに物を掛けた際の荷重によって、基部凸部２３が基部貫通孔２２から脱落して第一支持部３と第二支持部４とが突出方向Ｄ３に互いに離れるように相対移動してしまうことがなくなる。即ち、基部凸部２３のフランジ部２５によって、凹部１２から基部１７が脱落しないようにすることができる。
【００５９】
さらに、使用状態では、第一腕部５と第二腕部６に物を掛けた際の荷重によって、第一支持部３と第二支持部４とが本体部２の延在方向Ｄ１に撓むように変形しようとした際にも、基部凸部２３のフランジ部２５によって第一支持部３と第二支持部４とが互いに延在方向Ｄ１に離間してしまうことを規制できる。従って、荷重による凹部１２からの基部１７の脱落を抑制でき、バーハンガー１の剛性を高め、耐荷重性を向上できる。
【００６０】
さらに本実施形態では、第一凸部１９と第二凸部２０を設けることで、第一支持部３と第二支持部４とを組み合わせて、これらを一体として凹部１２に向かって基部１７を挿入する際、面取り部１９ａが凹部１２の壁面１２ｂに接触するようにして、第一凸部１９及び第二凸部２０を、本体部２の貫通孔１２ｃにスムーズに押し込むようにして挿入することができる。この結果、第一支持部３と第二支持部４とを本体部２に容易に組み込むことができる。
【００６１】
さらに、第一接続部３３と第二接続部５１とによって、第一支持部３同士及び第二支持部４同士を接続することで、バーハンガー１の全体の剛性をさらに向上でき、バーハンガー１の変形をさらに抑制でき、さらなる耐荷重性の向上が期待できる。
【００６２】
さらに、使用状態で、第一腕部５と第二腕部６に物を掛けた際の荷重を、移動規制部１１によって受けることができ、荷重によって第一腕部５と第二腕部６とが回動してしまわない。よってバーハンガー１の耐荷重性をさらに向上できる。
【００６３】
また、第一支持部３と第二支持部４には全く同一の部材を用いることができるため、金型を共通化でき、製造コストを抑えることができる。
【００６４】
さらに本実施形態では、クリップ部３２、４３が設けられているため、洗濯物をこれらにクリップ部３２、４３よって第一腕部５、及び第二腕部６上にしっかりと固定することができる。
【００６５】
また、仮にクリップ部３２、４３を用いず、これらクリップ部３２、４３の上面３２ａ、４３ａに洗濯物を載置した場合であっても、上面３２ａ、４３ａが平面形状をなしているため洗濯物にクリップ部３２、４３の干し痕が付きにくい。
【００６６】
以上、本発明の実施形態について詳細を説明したが、本発明の技術的思想を逸脱しない範囲内において、多少の設計変更も可能である。
例えば、凹部１２の数は上述の場合に限定されず、一つだけ設けられてもよいし、さらに多く設けられていてもよい。即ち第一腕部５と第二腕部６の数量は上述の場合に限定されない。
【００６７】
また、貫通孔１２ｃに代えて、第一凸部１９及び第二凸部２０が係合可能に、壁面１２ｂから延在方向Ｄ１に凹む凹部を設けてもよい。基部貫通孔２２についても貫通する孔ではなく、基部１７の延在方向Ｄ１に凹む凹部であってもよい。
【００６８】
さらに、貫通孔１２ｃの内面は、凹部１２から延在方向Ｄ１に離れる側に向かって、貫通孔１２ｃの内径が徐々に拡径するように形成された傾斜面であってもよい。この傾斜面は、例えばバーハンガー１が被吊り下げ物１００に吊り下げられた状態を基準として、貫通孔１２ｃの下部のみに形成されていてもよい。このように貫通孔１２ｃの内面を傾斜面とし、さらに貫通孔１２ｃの傾斜面に対応するように、第一凸部１９及び第二凸部２０の外周面にも傾斜面を形成し、貫通孔１２ｃとの傾斜面と、第一凸部１９及び第二凸部２０の互いの傾斜面とを係合させることで、貫通孔１２ｃからの第一凸部１９及び第二凸部２０の脱落をさらに抑制することができる。
【符号の説明】
【００６９】
１…バーハンガー
２…本体部
３…第一支持部
４…第二支持部
５…第一腕部
６…第二腕部
１１…移動規制部
１２…凹部
１２ｂ…壁面
１２ｃ…貫通孔（係合部、穴部）
１３…上部フック
１４…下部フック
１７、１７Ａ、１７Ｂ…基部
１８…基端押さえ部
１９…第一凸部
１９ａ…面取り部
２０…第二凸部
２１、２１Ａ…対向面
２２…基部貫通孔（支持部間穴部）
２２ａ…開口部
２３…基部凸部（支持部間凸部）
２４…筒部
２５…フランジ部（離間規制部）
３１…土台部
３２…クリップ部
３２ａ…上面
３３…第一接続部
４１…先端押さえ部
４２…キャップ部
４３…クリップ部
４３ａ…上面
５１…第二接続部
１００…被吊り下げ物
Ｄ１…延在方向
Ｄ２…上下方向
Ｄ３…突出方向
Ｄ１ａ…一方側
Ｄ１ｂ…他方側
【図１】
0006700918.tif 000002
【図２】
0006700918.tif 000003
【図３】
0006700918.tif 000004
【図４】
0006700918.tif 000005
【図５】
0006700918.tif 000006
【図６】
0006700918.tif 000007